(57)【要約】【課題】  保持状態時における携帯情報端末装置の表示画面の視認性を良好とすることが可能な携帯情報端末装置用ホルダを提供する。【解決手段】  表示画面１１を備える携帯情報端末装置１０を保持するための携帯情報端末装置用ホルダ１である。表示画面１１を外部より視認可能な状態で携帯情報端末装置１０を保持することが可能な保持部２と、保持部２による保持角度を表示画面１１と略同一面内において調節するための回転機構部３を備える。【選択図】    図１
2005073143.tif 000002
【特許請求の範囲】
【請求項１】
表示画面を備える携帯情報端末装置を保持するためのホルダにおいて、
前記表示画面を外部より視認可能な状態で前記携帯情報端末装置を保持することが可能な保持部と、
前記保持部による前記携帯情報端末装置の保持角度を前記表示画面と略同一面内において調節するための回転機構部と、
前記回転機構部を介して前記保持部を回転可能に支持し、載置面上に載置される支持基台と、
を備えることを特徴とする携帯情報端末装置用ホルダ。
【請求項２】
前記保持角度には、
前記携帯情報端末装置を横向きで保持可能となるような角度が含まれていることを特徴とする請求項１に記載の携帯情報端末装置用ホルダ。
【請求項３】
前記保持部は、
前記携帯情報端末装置が横向きとなるように前記保持角度を調節した際に該携帯情報端末装置が当該保持部より脱落してしまうことを防止するための脱落防止部を備えることを特徴とする請求項２に記載の携帯情報端末装置用ホルダ。
【請求項４】
前記回転機構部は、前記保持部を３６０゜回転可能に構成されていることを特徴とする請求項１乃至３のいずれか一項に記載の携帯情報端末装置用ホルダ。
【請求項５】
前記保持部の回転動作を所定角度間隔毎にロックする回転ロック機構を備えていることを特徴とする請求項１乃至４のいずれか一項に記載の携帯情報端末装置用ホルダ。
【請求項６】
前記所定角度間隔は、略９０゜に設定されていることを特徴とする請求項５に記載の携帯情報端末装置用ホルダ。
【請求項７】
携帯情報端末装置の表示画面を外部より視認可能な状態で該携帯情報端末装置を保持することが可能な保持部を備えるホルダであって、
前記保持部は、前記携帯情報端末装置を横向きで保持可能に構成されていることを特徴とする携帯情報端末装置用ホルダ。
【請求項８】
前記保持部は、
前記携帯情報端末装置の一端部が挿入される挿入凹部と、
当該保持部からの前記携帯情報端末装置の脱落阻止のために該携帯情報端末装置の他端部に係止される係止部と、
前記係止部を前記携帯情報端末装置の前記他端部に対する係止状態と非係止状態とに変換動作させるための動作機構部と、
を備えていることを特徴とする請求項１乃至７のいずれか一項に記載の携帯情報端末装置用ホルダ。
【請求項９】
前記動作機構部は、ヒンジ機構からなることを特徴とする請求項８に記載の携帯情報端末装置用ホルダ。
【請求項１０】
前記動作機構部は、前記係止部を前記係止状態に維持させるべく付勢する付勢手段を備えていることを特徴とする請求項８又は９に記載の携帯情報端末装置用ホルダ。
【請求項１１】
前記保持部は、
前記携帯情報端末装置が横向きとなるように前記保持角度を調節した際に該携帯情報端末装置が当該保持部より脱落してしまうことを防止するための脱落防止部を備え、
前記脱落防止部は、前記挿入凹部に前記携帯情報端末装置の一端部を挿入する際に該携帯情報端末装置の側部をガイドするガイド部としての機能を兼ね備えることを特徴とする請求項８乃至１０のいずれか一項に記載の携帯情報端末装置用ホルダ。
【請求項１２】
当該携帯情報端末装置用ホルダは、
前記携帯情報端末装置の充電を行うための充電器であることを特徴とする請求項１乃至１１のいずれか一項に記載の携帯情報端末装置用ホルダ。
【請求項１３】
当該携帯情報端末装置用ホルダに対し着脱自在な電源アダプタを介して電源を導入するように構成されていることを特徴とする請求項１２に記載の携帯情報端末装置用ホルダ。
【請求項１４】
前記携帯情報端末装置としての携帯電話機を保持することを特徴とする請求項１乃至１３のいずれか一項に記載の携帯情報端末装置用ホルダ。
【請求項１５】
表示画面を備える携帯情報端末装置において、
当該携帯情報端末装置がホルダにより保持された保持状態時には、通常時よりも視認性の高い態様で所望の画像を前記表示画面に表示する制御が可能に構成されていることを特徴とする携帯情報端末装置。
【請求項１６】
前記保持状態時には、通常時よりも拡大して前記所望の画像を表示する制御が可能に構成されていることを特徴とする請求項１５に記載の携帯情報端末装置。
【請求項１７】
前記保持状態時には、通常時よりも拡大するとともに通常時とは異なる向きで前記所望の画像を表示する制御が可能に構成されていることを特徴とする請求項１５に記載の携帯情報端末装置。
【請求項１８】
前記所望の画像として時刻を表示する制御が可能に構成されていることを特徴とする請求項１５乃至１７のいずれか一項に記載の携帯情報端末装置。
【請求項１９】
表示画面を備える携帯情報端末装置において、
当該携帯情報端末装置がホルダにより保持された保持状態時には、前記表示画面のバックライトを常時点灯させる制御を行うように構成されていることを特徴とする携帯情報端末装置。
【請求項２０】
当該携帯情報端末装置は、携帯電話機であることを特徴とする請求項１５乃至１９のいずれか一項に記載の携帯情報端末装置。
【請求項２１】
コンピュータ読み取り可能なプログラムにおいて、
請求項１５乃至２０のいずれか一項に記載の携帯情報端末装置の前記保持状態時における制御を前記コンピュータに実行させることを特徴とするプログラム。
【発明の詳細な説明】
【技術分野】
【０００１】
本発明は、携帯情報端末装置用ホルダ、携帯情報端末装置及びプログラムに関する。
【背景技術】
【０００２】
近年、例えば携帯電話機のような携帯情報端末装置においては、カメラ機能を備えるタイプのものや、画像をダウンロードすることが可能なタイプのものが普及している。このような携帯電話機においては、撮影或いはダウンロードした画像を、その表示画面にて表示することが可能となっている。
【０００３】
このような携帯電話機の場合、例えば充電器による充電は、通常、携帯電話機を立てた状態で行うため、充電中にはハンズフリーで表示画面の画像を楽しむこともできる。つまり、携帯電話機及び充電器のユニットを写真立てのように用いることもできる。
【０００４】
ここで、図１０に従来の一般的な充電器１００を示す。この充電器１００は、上向きに開口した凹部１０１を上面に備え、該凹部１０１の底部には充電端子（図示略）が設けられている。そして、凹部１０１内に携帯電話機２００の底部を挿入することで、該底部に形成された充電端子を介して、携帯電話機２００を立てた状態で充電することが可能となっている。
【０００５】
また、図示は省略するが、携帯電話機を、その表示画面が上向きとなるような状態で寝かせて充電するようなタイプの充電器も存在する。
【０００６】
近年では、前面だけでなく背面にも大画面の表示画面を備えるタイプや、２軸ヒンジを備えるタイプの携帯電話機が普及しているため、このように充電中に表示画面の画像を楽しむことは、折り畳み式でない携帯電話機の場合に限らず、折り畳み式の携帯電話機の場合であっても可能である。なお、図１０は、２軸ヒンジを備える折り畳み式の携帯電話機２００を、その表示画面が外向きとなるように折り畳んだ状態で充電器１００に装着する状態を示す。
【０００７】
また、携帯電話機のような携帯情報端末装置が時計機能を備え、その表示画面にて時刻表示が可能であることや、通常の待受け時（着信時や電子メールの作成時でない場合）には常に時刻表示を行うことは、一般的になっている。
【０００８】
このため、ユーザの中には、携行時だけでなく充電時にも携帯電話機を時計代わりに使用する（置き時計として用いる）者もいる。
【０００９】
なお、従来より、表示画面に表示される画像の視認性向上のために、充電器に保持した携帯電話機の表示画面の向きを変化可能とする技術がある（例えば、特許文献１参照）。すなわち、この特許文献１の技術によれば、充電器が備える角度変換機構により、充電器を卓上に設置した状態並びに壁掛けにした状態で共に携帯電話機の表示画面が正面を向くように、該充電器に対する携帯電話機の角度を調節することが可能となっている。
【特許文献１】特開平５−３０１６７号公報（図１、２）
【発明の開示】
【発明が解決しようとする課題】
【００１０】
しかしながら、例えば、図１０に示す一般的なタイプの充電器１００の場合には、常に一定の方向からしか表示画面の画像を楽しむことができないことが明らかである。つまり、例えば、横向きで撮影した画像は横向きのままでしか見ることができない。
【００１１】
また、携帯電話機を寝かせた状態で充電するタイプの場合には、上側からのぞき込むようにして、何れか一方向からしか見やすい状態で画像を楽しむことができないため、遠くから表示画面の画像を視認できず、写真立てや置き時計としての機能を実現することは困難である。
【００１２】
さらに、特許文献１の技術の場合には、表示画面を水平軸周りに回動させるような角度調節のみが可能であるため、やはり、横向きで撮影した画像を見やすい向きにして楽しむことはできない。
【００１３】
すなわち、従来の充電器は、携帯電話機を充電するという用途で設計したものに過ぎず、画像をその向きに関係なく見やすい状態にして楽しむことはできない。
【００１４】
また、一般に、携帯電話機の表示画面には、時刻表示のための表示領域の他にも、例えば、アンテナの受信感度、或いは、待受モードの設定状態を表示するための表示領域が確保されている。つまり、充電時には必要性の低いこれらの表示のために、時刻表示のための表示領域が狭められ、時刻表示の視認性が悪くなっている。
【００１５】
さらに、携帯電話機の表示画面には、一般に液晶表示画面が適用されているが、この場合、バックライトを点灯させた方が表示画面の視認性が良い。しかしながら、バックライトは、操作がなされてから所定時間（例えば、１０秒などのユーザ設定により定められた時間）の間しか点灯しないような設定となっていることが通常であるため、充電中は表示画面が暗く、従って、その視認性が悪い。
【００１６】
以上、要するに、従来の技術では、ホルダ（例えば充電器のような携帯情報端末装置用ホルダ）による保持状態時における携帯情報端末装置の表示画面の視認性は良好ではなかった。
【００１７】
本発明は、上記のような問題点を解決するためになされたもので、保持状態時における携帯情報端末装置の表示画面の視認性を良好とすることが可能な携帯情報端末装置用ホルダ、携帯情報端末装置及びプログラムを提供することを目的とする。
【課題を解決するための手段】
【００１８】
上記課題を解決するため、本発明の携帯情報端末装置用ホルダは、表示画面を備える携帯情報端末装置を保持するためのホルダにおいて、前記表示画面を外部より視認可能な状態で前記携帯情報端末装置を保持することが可能な保持部と、前記保持部による前記携帯情報端末装置の保持角度を前記表示画面と略同一面内において調節するための回転機構部と、前記回転機構部を介して前記保持部を回転可能に支持し、載置面上に載置される支持基台と、を備えることを特徴としている。
【００１９】
本発明の携帯情報端末装置用ホルダにおいては、前記保持角度には、前記携帯情報端末装置を横向きで保持可能となるような角度が含まれていることが好ましい。
【００２０】
この場合、前記保持部は、前記携帯情報端末装置が横向きとなるように前記保持角度を調節した際に該携帯情報端末装置が当該保持部より脱落してしまうことを防止するための脱落防止部を備えることが好ましい。
【００２１】
本発明の携帯情報端末装置用ホルダにおいては、前記回転機構部は、前記保持部を３６０゜回転可能に構成されていることが好ましい。
【００２２】
本発明の携帯情報端末装置用ホルダにおいては、前記保持部の回転動作を所定角度間隔毎にロックする回転ロック機構を備えていることが好ましい。
【００２３】
この場合、前記所定角度間隔は、略９０゜に設定されていることが好ましい。
【００２４】
また、本発明の携帯情報端末装置用ホルダは、携帯情報端末装置の表示画面を外部より視認可能な状態で該携帯情報端末装置を保持することが可能な保持部を備えるホルダであって、前記保持部は、前記携帯情報端末装置を横向きで保持可能に構成されていることを特徴としている。
【００２５】
本発明の携帯情報端末装置用ホルダにおいては、前記保持部は、前記携帯情報端末装置の一端部が挿入される挿入凹部と、当該保持部からの前記携帯情報端末装置の脱落阻止のために該携帯情報端末装置の他端部に係止される係止部と、前記係止部を前記携帯情報端末装置の前記他端部に対する係止状態と非係止状態とに変換動作させるための動作機構部と、を備えていることが好ましい。
【００２６】
この場合、前記動作機構部は、ヒンジ機構からなることが好ましい。
【００２７】
さらに、前記動作機構部は、前記係止部を前記係止状態に維持させるべく付勢する付勢手段を備えていることが好ましい。
【００２８】
加えて、前記保持部は、前記携帯情報端末装置が横向きとなるように前記保持角度を調節した際に該携帯情報端末装置が当該保持部より脱落してしまうことを防止するための脱落防止部を備え、前記脱落防止部は、前記挿入凹部に前記携帯情報端末装置の一端部を挿入する際に該携帯情報端末装置の側部をガイドするガイド部としての機能を兼ね備えることが好ましい。
【００２９】
本発明の携帯情報端末装置用ホルダは、携帯情報端末装置の充電を行うための充電器であることが好ましい。
【００３０】
この場合、携帯情報端末装置用ホルダに対し着脱自在な電源アダプタを介して電源を導入するように構成されていることが好ましい。
【００３１】
また、本発明の携帯情報端末装置用ホルダは、携帯情報端末装置としての携帯電話機を保持するためのものであることが好ましい。
【００３２】
本発明の携帯情報端末装置は、表示画面を備える携帯情報端末装置において、当該携帯情報端末装置がホルダにより保持された保持状態時には、通常時よりも視認性の高い態様で所望の画像を前記表示画面に表示する制御が可能に構成されていることを特徴としている。
【００３３】
この場合、前記保持状態時には、通常時よりも拡大して前記所望の画像を表示する制御が可能に構成されていることが好ましい。
【００３４】
或いは、前記保持状態時には、通常時よりも拡大するとともに通常時とは異なる向きで前記所望の画像を表示する制御が可能に構成されていることも好ましい。
【００３５】
さらに、前記所望の画像として時刻を表示する制御が可能に構成されていることが好ましい。
【００３６】
本発明の携帯情報端末装置は、表示画面を備える携帯情報端末装置において、当該携帯情報端末装置がホルダにより保持された保持状態時には、前記表示画面のバックライトを常時点灯させる制御を行うように構成されていることを特徴としている。
【００３７】
本発明の携帯情報端末装置は、携帯電話機であることを好ましい一例とする。
【００３８】
本発明のプログラムは、コンピュータ読み取り可能なプログラムにおいて、本発明の携帯情報端末装置の前記保持状態時における制御を前記コンピュータに実行させることを特徴としている。
【発明の効果】
【００３９】
本発明の携帯情報端末装置用ホルダによれば、携帯情報端末装置の表示画面を外部より視認可能な状態で該携帯情報端末装置を保持することが可能な保持部と、保持部による携帯情報端末装置の保持角度を表示画面と略同一面内において調節するための回転機構部と、を備えるので、画像をその向きに関係なく見やすい状態にして楽しむことができる。つまり、携帯情報端末装置用ホルダによる保持状態時における携帯情報端末装置の表示画面の視認性を良好とすることが可能となる。
【００４０】
また、本発明の携帯情報端末装置用ホルダによれば、携帯情報端末装置の表示画面を外部より視認可能な状態で該携帯情報端末装置を保持することが可能な保持部を備え、保持部は、携帯情報端末装置を横向きで保持可能に構成されているので、横向きの画像を見やすい状態にして楽しむことができる。つまり、この場合も、携帯情報端末装置用ホルダによる保持状態時における携帯情報端末装置の表示画面の視認性を（横向きの画像の場合に）良好とすることが可能となる。
【００４１】
また、本発明の携帯情報端末装置によれば、当該携帯情報端末装置がホルダにより保持された保持状態時には、通常時よりも視認性の高い態様で時刻を表示する制御が可能に構成されているので、保持状態時における時刻表示の視認性を高めることができる。
【００４２】
また、本発明の携帯情報端末装置によれば、当該携帯情報端末装置がホルダにより保持された保持状態時には、前記表示画面のバックライトを常時点灯させる制御を行うように構成されているので、保持状態時における表示画面の視認性を高めることができる。
【００４３】
また、本発明のプログラムによれば、本発明の携帯情報端末装置の保持状態時における制御をコンピュータに実行させるので、本発明の携帯情報端末装置を好適に実現することができる。
【発明を実施するための最良の形態】
【００４４】
以下、図面を参照して、本発明に係る実施形態について説明する。
【００４５】
〔第１の実施形態〕
第１の実施形態では、本発明に係る携帯情報端末装置用ホルダの適例としての充電器と、本発明に係る携帯情報端末装置の適例としての携帯電話機と、について説明する。
【００４６】
図１乃至図６に示す充電器（携帯情報端末装置用ホルダ）１は、表示画面１１を備える携帯電話機（携帯情報端末装置）１０を充電の際に保持するものである。
【００４７】
ここで、携帯電話機１０は、例えば、カメラ機能を備え、撮影した画像を表示画面１１にて表示することが可能となっている。さらに、携帯電話機１０は、画像をダウンロード（所定のホームページからのダウンロード、或いは、メール受信によるダウンロード）して表示画面１１に表示することも可能となっている。
【００４８】
このような携帯電話機１０は、例えば、図１及び図２に示すように、ほぼ直方体形状の第１の筐体１０Ａと、第１の筐体１０Ａと同様の直方体形状の第２の筐体１０Ｂと、第１の筐体１０Ａと第２の筐体１０Ｂとを相互に回動自在に結合するヒンジ機構１０Ｃと、を備えている。このヒンジ機構１０Ｃは、互いに直交する２つの軸方向（２軸方向）に第１及び第２の筐体１０Ａ、１０Ｂを相対的に回動可能とさせる２軸ヒンジである。従って、ヒンジ機構１０Ｃを軸として第１及び第２の筐体１０Ａ、１０Ｂを相対的に回動させることにより、該筐体１０Ａ、１０Ｂを互いに重ね合わせるようにして折り畳んだり、或いは、開いたりすることができる他に、例えば、折り畳んだ際における表示画面１１（例えば、第１の筐体１０Ａが備える）の向きを、内側及び外側の何れにもできるようになっている。なお、図１及び図２には、表示画面１１を外向きにして第１及び第２の筐体１０Ａ、１０Ｂを折り畳んだ状態で、携帯電話機１０を充電器１により保持した状態を示す。また、例えば、第２の筐体１０Ｂの端部には、充電端子１２が形成されている。
【００４９】
他方、充電器１は、該充電器１の外部より表示画面１１を視認可能な状態で携帯電話機１０を保持することが可能な保持部２と、この保持部２による携帯電話機１０の保持角度を表示画面１１と略同一面内において調節するための回転機構部３と、回転機構部３を介して保持部２を回転可能に支持し、テーブルなどの載置面（図示略）上に載置される支持基台４と、を備えている。
【００５０】
このうち保持部２は、図１及び図２に示すように、携帯電話機１０の背面側を支持する支持板状部２０と、携帯電話機１０の一端部１３（例えば、携帯電話機１０を折り畳んだ状態における一端部であり、しかも、充電端子１２を備える部分）が挿入される挿入凹部２１と、当該保持部２からの携帯電話機１０の脱落阻止のために該携帯電話機１０の他端部１４（一端部１３に対する他端部）に係止される係止部２２と、この係止部２２を携帯電話機１０の他端部１４に対する係止状態（図６（ｃ））と非係止状態（図６（ａ）、（ｂ））とに変換動作させるためのヒンジ機構（動作機構部）２３と、を備えている。なお、ヒンジ機構２３は、係止部２２を係止状態に維持させるべく付勢する付勢手段としての、例えばスプリング（図示略）を内蔵している。
【００５１】
また、保持部２の挿入凹部２１は、保持部２により携帯電話機１０を保持した際に表示画面１１を覆うことがないような寸法形状に形成されている。同様に、係止部２２は、保持部２に保持された携帯電話機１０の他端部１４に係止された際に、表示画面１１を覆うことがないような寸法形状に形成されている。従って、携帯電話機１０を保持部２により保持した際（以下、単に保持状態時という）に、表示画面１１を充電器１の外部より好適に視認可能となる。
【００５２】
なお、充電の際に携帯電話機１０側の充電端子１２と接触して該携帯電話機１０に電源供給するための充電端子２１１（充電器１側の充電端子）は、例えば、挿入凹部２１の内周面より露出した状態に配設されている。
【００５３】
また、支持基台４は、載置面上に載置される基台部４１と、回転機構部３を介して保持部２を支持する支持部４２と、を備えている。このうち基台部４１は、例えば平板状に形成されている。他方、支持部４２は、例えば、基台部４１と一体的に設けられて該基台部４１より起立する支柱状に形成されている。
【００５４】
なお、図１及び図２には、充電器１の保持部２は、携帯電話機１０を、その表示画面１１が斜め上向きとなるような傾斜状態で保持する例を示している。この場合、保持部２の支持板状部２０及び支持基台４の支持部４２は、共に傾斜状態に設けられている。ただし、この例に限らず、保持部２は、携帯電話機１０をその表示画面１１が真正面向きとなるように保持するものであっても良く、この場合、支持板状部２０及び支持部４２は、例えば、共に水平面に対して直立状態に設けると良い。
【００５５】
また、回転機構部３は、その回転軸３１（図２参照）を介して支持基台４の支持部４２と保持部２の支持板状部２０とを連結し、該支持板状部２０を含む保持部２の全体を、支持部４２を含む支持基台４に対して３６０゜回動自在な状態としている。ここで、保持部２は、支持基台４に対して、表示画面１１と略同一面内において回転可能とされている。これにより、保持部２による携帯電話機１０の保持角度を、表示画面１１と略同一面内において調節することが可能とされている。
【００５６】
ここで、充電器１は、支持基台４に対する保持部２の回転動作を、例えば９０゜毎（所定角度間隔毎）にロックする回転ロック機構（図示略）を備えている。すなわち、本実施形態の場合、例えば、図３に示すように携帯電話機１０が縦向き（正面視における携帯電話機１０の長手方向が略鉛直方向）となるような角度、図３の状態に対して上下逆転した角度、図４に示すように携帯電話機１０が横向き（携帯電話機１０の長手方向が略水平方向）となるような角度、及び、図４の状態に対して左右逆転した角度にて、それぞれ保持部２の回転動作がロックされて、その角度に維持されるようになっている。つまり、これら４つの角度（保持角度）にて、保持部２により携帯電話機１０を安定的に保持することができるようになっている。
【００５７】
なお、この回転ロック機構は、例えば、一定以上の回転力を保持部２に付与することにより、ロック状態が解除されるように構成されたものである。具体的には、例えば、支持部４２に形成された突部又は凹部（図示略）と、支持板状部２０の裏面に形成された凹部又は突部（図示略）と、が嵌合状態となることによりロック状態となる一方で、保持部２に回転力が付与されてこの嵌合状態が解除されるのに伴いロック状態が解除されるような構成が挙げられる。また、回転ロック機構の具体的構成はその他であっても良いが、このような回転ロック機構自体は従来周知であるためその詳細な説明は省略する。また、回転ロック機構は、回転機構部３に内蔵されるものであっても良い。
【００５８】
また、保持部２により安定的に携帯電話機１０を保持可能な保持角度には、上記のように、携帯電話機１０が横向きとなるような角度（図４の状態及び図４に対して左右逆転した状態）が含まれている。
【００５９】
そこで、保持部２は、携帯電話機１０が横向きとなるように保持角度を調節した際に該携帯電話機１０が当該保持部２より脱落してしまうことを防止するための脱落防止部２４を、該保持部２の左右両側部（図３の状態における左右両側部；図４の状態では上下両端部）にそれぞれ備えている。
【００６０】
この脱落防止部２４は、後述するように、充電器１への装着のために携帯電話機１０の一端部を挿入凹部２１に挿入する際に、該携帯電話機１０の両側部をガイドするガイド部としての機能を兼ね備える。
【００６１】
また、充電器１は、図１及び図２に示すように、該充電器１に対し着脱自在なＡＣ電源アダプタ（電源アダプタ）５０を介して電源を導入（取得）するように構成されている。このＡＣ電源アダプタ５０は、例えば商用電源のコンセントに差し込まれるプラグ５１と、充電器１の基台部４１側のコネクタ４１１に差し込まれるコネクタ５２と、これらコネクタ５２−プラグ５１間を接続する電源線５３とを備えている。
【００６２】
また、充電器１は、ＡＣ電源アダプタ５０を介して導入される電源を携帯電話機１０に供給するための電源供給経路を内蔵している。すなわち、この電源供給経路は、例えば、図２に示すように、基台部４１のコネクタ４１１より、該基台部４１及び支持部４２の各内部を経由して回転機構部３の回転軸３１（内の導線部５ｃ）へと接続された第１電源線５ａと、回転軸３１の内部に支持基台４側から支持板状部２０側に亘って設けられた導電部５ｃと、該導電部５ｃより保持部２の支持板状部２０の内部を経由して挿入凹部２１内の充電端子２１１へと接続された第２電源線５ｂと、により構成されている。このように、回転軸３１の内部に設けられた導電部５ｃを介して支持基台４側から保持部２側へ電源を供給しているので、保持部２をどの角度に回転させても、好適に携帯電話機１０に電源供給することが可能となっている。なお、回転軸３１内に導電部５ｃを内蔵する例に限らず、回転軸３１自体を導電性材（例えば、金属）により形成し、導電部５ｃの代わりに回転軸３１によって電源供給経路の一部を構成するようにしても良い。
【００６３】
充電器１は、以上のように構成されている。
【００６４】
次に、図６を参照して、充電器１への携帯電話機１０の装着動作を説明する。
【００６５】
先ず、保持部２の係止部２２を、ヒンジ機構２３を軸として回動させて非係止状態（図６（ａ）、（ｂ）の状態）に変換させて、携帯電話機１０の一端部１３（充電端子１２を有する部分）を保持部２の挿入凹部２１内に差し込む（図６（ｂ））。なお、この際には、予め、図６に示すように表示画面１１が外向きとなるように第１及び第２の筐体１Ａ、１Ｂを折り畳んでおく。
【００６６】
次に、係止部２２を係止状態（図６（ｃ））に変換させて、該係止部２２を携帯電話機１０の他端部１４に対し係止状態とする。なお、係止部２２は、ヒンジ機構２３が備えるスプリング（図示略）により付勢されているので、係止状態に維持される。これにより、保持部２によって携帯電話機１０を固定的に保持した状態となる。
【００６７】
この際には、充電器１の充電端子２１１と携帯電話機１０の充電端子１２とが接触するので、ＡＣ電源アダプタ５０のプラグ５１がコンセントに、コネクタ５２が充電器１のコネクタ４１１に、それぞれ電気的に接続されていれば、携帯電話機１０の充電が行われる。
【００６８】
或いは、ＡＣ電源アダプタ５０を用いない場合には、充電器１を単なるホルダとして用いることもできる。
【００６９】
また、このように、充電器１の保持部２によって携帯電話機１０を保持した状態で保持部２を支持基台４に対して回動させることにより、該保持部２による携帯電話機１０の保持角度を調節することができる。従って、例えば携帯電話機１０のカメラで撮影した画像の向きに関係なく、見やすい状態で画像を楽しむことができる。具体的には、例えば、横向きの画像であっても、図４に示すような保持角度に調節することによって、この画像を見やすい状態で楽しむことができる。
【００７０】
なお、携帯電話機１０を充電器１より取り外すには、上記と逆の動作を行うと良い（図６（ｃ）→図６（ｂ）→図６（ａ））。
【００７１】
ここで、本実施形態に係る携帯電話機１０は、充電器１による充電時には、通常時とは別の動作モード、すなわち充電時モード（卓上充電モード）となって、例えば、ユーザが指定した画像を継続的に表示したり、或いは、携帯電話機１０の画像フォルダ（携帯電話機１０が備えるメモリ内の、画像データを格納する記憶領域）内の画像を、順次、切り替えて表示したりするようになっている。
【００７２】
このような充電時モードについて、図７及び図８のフローチャートを参照して説明する。
【００７３】
先ず、図７を参照して、ユーザによる設定操作について説明する。
【００７４】
図７に示すように、ステップＳ５０１では、メニューの選択モードを実行し、複数用意されたメニューのうち充電時モード（卓上充電モード）の設定メニューを選択し（ステップＳ５０２）、充電時の表示画面１１における画像表示態様の設定操作が可能な状態に移行させる。
【００７５】
このような画像表示態様の設定操作としては、先ず、ステップＳ５０３にて、表示画面１１（例えば、液晶表示装置の表示画面からなる）のバックライトをＯＮ状態とするかＯＦＦ状態とするかの設定を行う。ここで、携帯電話機１０の充電中はＡＣ電源アダプタ５０を介して電源供給されるので、バックライトを常時点灯させていても問題がない。バックライトを常時点灯させることにより、表示画面１１の視認性を常時良好なものとすることができる。
【００７６】
なお、バックライトの点灯有無の設定を、このようにユーザによる設定操作により行うようにしても良いが、携帯電話機１０が充電状態を検出している状態時（つまり充電中）にはバックライトが常時点灯状態となるような制御を、携帯電話機１０が自動で実行するようにすることも好ましい。
【００７７】
次に、例えば、卓上充電モードの設定メニューにおける選択肢のひとつである“画像表示設定”を選択し（ステップＳ５０４）、卓上充電モードに移行したときに何れの画像を、どのような表示態様で表示するかの設定（選択操作）を行う。なお、“画像表示設定”以外の設定を“その他”（ステップＳ５０５にて設定操作される）とし、後述する第２の実施形態にて説明する。
【００７８】
ステップＳ５０４では、例えば、指定した画像（カメラ撮影した画像、或いは、ダウンロードした画像）を卓上充電モード中では表示させておくような設定（ステップＳ５０６）、画像フォルダに格納されている画像を所定時間（例えば、数秒）毎に順次切り替えて表示するような設定（ステップＳ５０７）が挙げられる。また、その他にも、例えば、ランダムに画像処理（例えば、セピア表示、モノクロ表示、拡大表示、スタンプ添付、ピクチャーフレームのうちの何れか１つ又は複数の特殊効果）を施した画像を表示するような設定（ステップＳ５０８）が挙げられる。
【００７９】
このように、卓上充電モードにおける表示画面１１での画像表示の設定を行うことにより、ユーザが望む画像を表示画面１１に表示させることができるので、充電中において、充電器１及び携帯電話機１０により構成されるユニットを、好適に写真立てとして機能させることが可能となる。
【００８０】
次に、図８のフローチャートを参照して、充電の際のユーザの操作（装着操作）及び携帯電話機１０の内部で行われる処理（携帯電話機１０が備える制御部が実行する制御）の流れについて説明する。
【００８１】
先ず、携帯電話機１０が充電器１に装着されていない通常時には、通常の待ち受け状態となっている（ステップＳ６０１）。
【００８２】
ここで、携帯電話機１０は、例えば、図示しないＩ／Ｏコネクタを備えており、該Ｉ／Ｏコネクタを介して他の機器より電源を導入して充電することも可能に構成されている。
【００８３】
この場合、ユーザが携帯電話機１０を充電器１に装着すると（ステップＳ６０２）、携帯電話機１０の制御部は、充電端子１２からの充電が開始されたのか、又は、Ｉ／Ｏコネクタ（図示略）からの充電が開始されたのかの判定を行う（ステップＳ６０３）。
【００８４】
そして、Ｉ／Ｏコネクタからの充電と判定した場合には、通常の充電を開始し（ステップＳ６０４）、充電時モード（卓上充電モード）には移行しない。
【００８５】
他方、充電端子１２からの充電と判定した場合には、卓上充電モードに移行し（ステップＳ６０５）、事前に設定した（図７のステップＳ５０４乃至Ｓ５０８にて設定した）表示を表示画面１１にて行う。
【００８６】
なお、卓上充電モード（充電時モード）を実行するためのプログラムは、携帯電話機１０の制御部が備えるメモリ（例えば、ＲＡＭ）に格納されている。
【００８７】
以上のような第１の実施形態によれば、充電器（携帯情報端末装置用ホルダ）１は、携帯電話機１０の表示画面１１を外部より視認可能な状態で該携帯電話機１０を保持することが可能な保持部２と、保持部２による携帯電話機１０の保持角度を表示画面１１と略同一面内において調節するための回転機構部３と、を備えるので、表示画面１１にて表示される画像をその向きに関係なく見やすい状態にして楽しむことができる。つまり、充電器１による保持状態時における携帯電話機１０の表示画面の視認性を良好とすることが可能となる。
【００８８】
これにより、折り畳み式でない携帯電話機の場合には勿論のこと、折り畳み式の場合であっても、本実施形態で説明したように２軸ヒンジを有するタイプや、メインの表示画面の背面側にも大画面のサブ表示画面を備えるタイプ（図示略）の場合に、画像の向きに関係なく充電中に画像を楽しむことができる。
【００８９】
なお、具体的には、特に、保持角度には、携帯電話機１０を横向きで保持可能となるような角度が含まれているので、横向きの画像を見やすい角度に調節して楽しむことが可能となる。
【００９０】
さらに、本実施形態で説明したような卓上充電モードを備える構成とすることにより、充電中における携帯電話機１０の利用価値を一層高めることができる。
【００９１】
〔第２の実施形態〕
第２の実施形態では、携帯電話機１０が、上記の卓上充電モードとして、通常時（携帯電話機１０が充電器１に装着されていない状態時）よりも視認性の高い態様で時刻を表示するモードを備える例を説明する。
【００９２】
なお、第２の実施形態における携帯電話機１０は、充電中における時計表示の制御が異なる他は、上記の第１の実施形態で説明した携帯電話機１０と同様である。
【００９３】
第２の実施形態の場合、携帯電話機１０は、具体的には、例えば図９に示すように、充電中（保持状態時）には、通常時（従来構成の図１０参照）よりも拡大するとともに、通常時とは異なる向き（具体的には、例えば、横向き）で時刻を表示する制御が可能に構成されている。
【００９４】
従って、図９に示すように、携帯電話機１０が横向きとなるように充電器１の保持部２により保持させることにより、縦長（図９に示すように横向きにした状態では横長となる）の表示画面１１の幅一杯を有効に使って時刻表示を行うことができる。この状態でバックライトを点灯させていれば、充電中に遠くから携帯電話機１０を眺めても時刻が確認できる。つまり、充電中に携帯電話機１０及び充電器１からなるユニットを置き時計として活用することができる。
【００９５】
なお、この場合、アンテナの受信感度の表示、並びに、待受モードの設定状態の表示（例えば、マナーモード、留守電モード或いはサイレントモードに設定しているか否かを確認するための表示）は、行わないようにすることも好ましく、このようにすることによって、時刻表示のために極力広い表示領域を確保することができ、できるだけ拡大して時刻表示を行うことが可能となる。
【００９６】
次に、図７のフローチャートを参照して、卓上充電モードとしての時刻表示の設定操作を説明する。すなわち、この設定操作は、図７のステップＳ５０１乃至ステップＳ５０３を経てステップＳ５０５に移行したところで、例えば、選択肢の中から“時刻表示”を選択することによりなされる。ここで、“時刻表示”を選択すればバックライトの設定が自動的にＯＮとなるようにしても良いし、或いは、バックライトのＯＮ／ＯＦＦ設定をユーザが行うようにしても良い。また、時刻表示は、図９に示すように、拡大し且つ向きを横向きに変更する例に限らず、通常時と同様の向きのままで単に拡大するだけであっても良く、また、幾つかの表示態様の選択候補の中から、ユーザの好みの表示態様を選択できるようになっていることも好ましい。
【００９７】
以上のような第２の実施形態によれば、携帯電話機１０は、該携帯電話機１０が充電器１により保持された保持状態時（充電時）には、通常時よりも視認性の高い態様で時刻を表示する制御が可能に構成されているので、保持状態時における時刻表示の視認性を高めることができる。
【００９８】
なお、上記の各実施形態では、本発明に係る携帯情報端末装置用ホルダとして充電器１を例示したが、本発明の携帯情報端末装置用ホルダはこれに限らず、充電機能を有しない単なるホルダであっても良い。
【００９９】
また、上記においては、充電器１として、商用電源より電源を取得するタイプのものを例示したが、これに限らず、車載電源より電源を取得するタイプのものであっても良い。
【０１００】
さらに、上記においては、携帯情報端末装置用ホルダ（例えば充電器１）が、その保持部２による携帯情報端末装置（例えば携帯電話機１０）の保持角度を調節可能な例を説明したが、単に、横向きのみに固定的に保持するような保持部を備え、保持部２の回転調節が不可能なタイプの携帯情報端末装置用ホルダであっても良い。この場合にも、従来のホルダでは横向きのままでしか見ることのできなかった横向きの画像を、見やすい状態で見ることが可能となる。
【０１０１】
さらに、上記においては、本発明に係る携帯情報端末装置の一例として、携帯電話機１０についてのみ説明したが、本発明はこれに限らず、例えば、ＰＨＳ、携帯型情報通信端末（ＰＤＡ）等のその他の携帯情報端末装置にも同様に適用可能である。
【０１０２】
また、横向きにした表示画面１１を有効利用するためのアプリケーションとして時計表示（第２の実施形態）を例示したが、この例に限らず、横向きの表示画面１１を有効利用できるものであれば、その他のアプリケーションを実行する場合に本発明を適用することも可能である。
【図面の簡単な説明】
【０１０３】
【図１】本発明の実施形態に係る充電器（携帯情報端末装置用ホルダ）により携帯電話機を保持した状態、特に、携帯電話機の向きを縦にした状態を示す側面図である。
【図２】充電器により携帯電話機を保持した状態を示す側断面図である。
【図３】図１の状態の正面図である。
【図４】充電器により携帯電話機を保持した状態、特に、携帯電話機を横向きにした状態を示す正面図である。
【図５】図４の状態の背面図である。
【図６】充電器への携帯電話機の装着動作を説明するための一連の側断面図である。
【図７】充電の際の設定操作に応じた携帯電話機の動作を説明するためのフローチャートである。
【図８】充電の際の携帯電話機の動作を説明するためのフローチャートである。
【図９】充電時における時刻表示の例を示す正面図である。
【図１０】従来の一般的な充電器及び携帯電話機を示す斜視図である。
【符号の説明】
【０１０４】
１０    携帯電話機（携帯情報端末装置）
１１    表示画面
１      充電器（携帯情報端末装置用ホルダ）
２      保持部
３      回転機構部
４      支持基台
２１    挿入凹部
２２    係止部
２３    ヒンジ機構（動作機構部）
２４    脱落防止部
５０    ＡＣ電源アダプタ（電源アダプタ）
【図１】
2005073143.tif 000003
【図２】
2005073143.tif 000004
【図３】
2005073143.tif 000005
【図４】
2005073143.tif 000006
【図５】
2005073143.tif 000007
【図６】
2005073143.tif 000008
【図７】
2005073143.tif 000009
【図８】
2005073143.tif 000010
【図９】
2005073143.tif 000011
【図１０】
2005073143.tif 000012